【事件の表示】
　特願２００４−　４０２０９「印刷装置」拒絶査定不服審判事件〔平成１７年　９月　２日出願公開、特開２００５−２３１０７６〕について、次のとおり審決する。
【結　論】
　本件審判の請求は、成り立たない。
【理　由】
１　手続の経緯
　本願は、平成１６年２月１７日の出願であって、平成１７年２月２３日及び平成１９年９月２１日に手続補正がなされ、平成２０年２月１４日付けで拒絶査定がなされ、これに対して、同年３月２１日に拒絶査定不服審判が請求されるとともに、同年４月１０日に手続補正がなされ、当審において、平成２０年４月１０日付け手続補正が平成２２年４月２７日付けで却下されるとともに、同日付けで拒絶の理由（以下「当審拒絶理由」という。）が通知され、平成２２年７月７日付けで手続補正がなされたものである。
　
２　本願発明
　本願の請求項１ないし１３に係る発明は、平成２２年７月７日付け手続補正により補正された特許請求の範囲、明細書及び図面の記載からみて、その特許請求の範囲の請求項１ないし１３に記載された事項により特定されるものであるところ、請求項１に係る発明（以下「本願発明」という。）は、次のとおりのものであると認める。
　
「装置情報を格納する着脱可能な記憶部と、
　不揮発性記憶部材で構成され、前記記憶部に装置情報を格納する設定がなされたことを示す情報を格納する情報格納部と、
　装置のエラー情報を装置外部に表示する表示部と、
　前記設定がなされた後に再電源投入されたときの初期化処理において、前回の電源投入による装置の動作時に格納された前記情報格納部の情報を取得し、前記記憶部に装置情報を格納することを示す情報が前記情報格納部に格納されていて、かつ前記記憶部が装置に装着されているか否かを検出し、前記記憶部が装置に未装着であると判断すると、前記表示部に対して前記エラー情報を表示することを通知し、
　また前記設定がなされた後に再電源投入されたときの初期化処理において、前回の電源投入による装置の動作時に格納された前記情報格納部の情報を取得し、前記記憶部に装置情報を格納することを示す情報が前記情報格納部に格納されていて、かつ前記記憶部が装置に装着されているか否かを検出し、前記記憶部が装着されている場合に、前記記憶部が前回の電源投入による装置の動作時に装着されていた記憶部であるか否かを判断し、前回装着されていた記憶部と異なる記憶部であると判断すると、前記表示部に対して前記エラー情報を表示することを通知する装着管理部とを備えたことを特徴とする印刷装置。」
　
３　刊行物の記載事項
（１）当審拒絶理由で引用された「本願の出願前に頒布された刊行物である特開２００２−１７８５６７号公報（以下「引用例１」という。）」には、次の事項が記載されている。（下線は審決で付した。以下同じ。）
　ア　「【請求項１】  各種印刷情報の設定や印刷回数，エラー回数などを記憶する
第１の不揮発性のランダムアクセスメモリと、着脱自在で第１の不揮発性のランダムアクセスメモリとは異なった情報を記憶させる第２のランダムアクセスメモリとを有し、第１の不揮発性のランダムアクセスメモリにはトータル印刷回数を記憶させ、第２の不揮発性のランダムアクセスメモリには第１の不揮発性のランダムアクセスメモリよりも多くのカテゴリのカウンタ情報を記憶させる
【請求項２】  請求項１記載のプリンタコントローラにおいて、
プリンタコントローラに接続されるプリンタエンジンには、複数の色により印刷が可能なカラープリンタエンジンを使用し、第２の不揮発性のランダムアクセスメモリには印刷時に使用した色成分毎のカウンタ情報を記憶させることを特徴とするプリンタコントローラ。
【請求項３】  請求項１又は２記載のプリンタコントローラにおいて、
第２の不揮発性のランダムアクセスメモリには複数の使用者，グループ毎に印刷した枚数を記憶させることを特徴とするプリンタコントローラ。
【請求項４】  請求項１，２又は３記載のプリンタコントローラにおいて、
第２の不揮発性のランダムアクセスメモリがハードディスクである
　
　イ　「【０００１】
【発明の属する技術分野】この発明は、レーザープリンタやマルチファンクションプリンタ等に搭載するプリンタコントローラ及びそれを使用したプリンタ装置、特に、１台のプリンタ装置を複数の人や部門，グループにて共有して使用するとき、個人毎又は部門毎の印刷枚数を管理して、各部門で管理しているプリンタ管理者の作業の容易化や利用者制限の容易化に関するものである。
【０００２】
【従来の技術】
ホストコンピュータにより作成された文書や画像を印刷する従来のプリンタ装置
プリンタコントローラ１とプリンタエンジン２を有
プリンタコントローラ１は、ホストインタフェース３と、装置全体の動作を制御するＣＰＵ４と、各種制御プログラムを記憶したＲＯＭ５と、ＣＰＵ４のワークメモリや画像メモリとして使用するＲＡＭ６と、ビデオＤＭＡコントローラ７と、エンジンインタフェース８及び各種印刷条件等が設定されているＮＶＲＡＭ９を有する
ホストコンピュータ１０により作成した画像等を印刷するとき、ホストコンピュータ１０は印刷を行うプリンタ装置を指定して、作成した画像の印刷命令を出す
ホストコンピュータ１では、接続されたプリンタ装置にあったプリンタドライバーソフト１１により、プリンタコントローラ１側で解釈が可能な命令コードの体系に画像データを変換し、接続先のプリンタ装置のホストインタフェース３に変換された画像データを出力する
プリンタコントローラ２のホストインタフェース３で印刷する画像データの受信が開始すると、ＣＰＵ４は送られてきた画像データをＲＯＭ５に格納されているコード情報にしたがってＲＡＭ６にイメージ描画，展開する。画像データがＣＰＵ４によりＲＡＭ６にイメージ展開がされた後、エンジンインタフェース８を介してプリンタエンジン２に印刷起動命令を出して印刷を開始するとともに、イメージ展開した画像データをエンジンインタフェース８を介してプリンタエンジン２に出力して印刷を実行する。このプリンタエンジン２に画像を出力する
プリンタエンジン２で
ＮＶＲＡＭ９に設定されている各種設定に従って印刷画像が作成
【０００３】ＮＶＲＡＭ９に記憶されている印刷条件等の設定には、例えば、印刷用紙が複数段の給紙ユニットで構成されている場合には、
デフォルトで給紙する給紙ユニットの設定や、
プリンタ装置のシリアル番号の設定
プリンタが印刷したトータルの印刷枚数の設定値や、あるいは印刷した際の用紙ジャム回数などのエラーの発生回数等
【０００４】また、利用者制限を行う場合には、印刷する際に、ホストコンピュータ１０上であらかじめ決められた暗証コードをユーザが打ち込み、暗証コードがあっていた場合にのみ印刷を行うことが可能なような構成にすることにより実現している。また、マルチファンクションプリンタでは、複写機に接続するコインラックへ使用料金が投入された場合にのみ印刷が可能な構成とするコインラックによる利用者制限をかける場合や、カードリーダーを接続して、カードの残り度数がある場合にのみ印刷が可能な構成とするカードリーダーによる利用者制限を行っている。また、特開平2000−47534号公報に示すように、マルチファンクションプリンタにて暗証コードを用いて利用者制限する方法や、特開平９−９７１４０公報に示すように、プリンタ装置において暗証コードを用いて利用者制限する方法や、特開平８−98038号公報や特開平10−111626号公報に示すように、ネットワーク化した複写機に各々利用者制限機能を有する場合に、他の複写機の利用制限機能を利用して、操作性や作業効率を向上させる利用者制限方法が開示されている。」
　
　ウ　「【０００５】
【発明が解決しようとする課題】近年レーザプリンタ装置は高速な機械が多くなりつつあり、また、カラーレーザプリンタ装置も飛躍的に高速になってきている。また、タンデム方式のプリンタエンジンによりカラーレーザプリンタ装置であってもモノクロのプリンタ装置と同等のスピードで印刷が行えるようになってきている。また、利用者による不正な印刷や、不用な経費の削減が必要であり、より精度の高い利用者制限技術が求められている。さらに、プリンタエンジンの高速化や信頼性技術の進歩に伴い、印刷枚数の耐久性も飛躍的に向上してきている。
【０００６】しかしながら、従来のプリンタコントローラでは、
トータルの印刷枚数のカウント値をＮＶＲＡＭに記憶させて管理していたため、印刷のトータル枚数のみを記憶させている場合や暗証コードでの利用者制限をかけている場合、１つのプリンタ装置を複数の人や部門，グループにて共有して使用する際に、コインラックやカードリーダによる利用者制限を行うためにＮＶＲＡＭへ設定する項目が多岐に渡っている。また、電源遮断時においてもプリンタシステムが記憶しておかなければならない情報が非常に多いため、個人や部門毎の印刷枚数や印刷ページ数を記憶させておくＮＶＲＡＭの容量が存在しないため、そのような管理ができなかった。また、カラーレーザプリンタ装置の場合には、ユーザによりモノクロの印刷は利用可能とするが、カラー印刷の利用制限をする場合や、各印刷色毎の課金管理を行う場合などがあり、そのために、各色成分毎のカウンタ情報を持つ必要があり、より大容量の不揮発性メモリが必要であるが、
【０００７】また、プリンタ装置で印刷する際には、
どの用紙サイズで、それぞれ何枚印刷されているかを記憶させる場合や、どのような紙種例えば普通紙や再生紙やＯＨＯ又は厚紙等で印刷が何枚されているかを記憶させる場合や、複数のプリンタエミュレーション言語を搭載している機種では、各エミュレーションが何枚印刷されているか等を管理する要望がでている。また、マルチファンクションプリンタの場合には、プリンタ機能だけでなく、複写機能やスキャナ機能及びファクシミリ機能等各種アプリケーションが存在しており、複写機能やスキャナ機能の場合には、プリンタ機能と同様に、用紙サイズ毎にどの部門が何枚使用しているかを管理したいという要望や、ファクシミリ機能の場合は、それに加えて、各個人や部門毎にどの相手先と送受信したかを管理したいという要望が顕在化している。しかし、これらの設定を記憶させるためには、飛躍的に不揮発性メモリの容量を大きくする必要
【０００８】この発明は係る要望を満たすためになされたものであり、１台のプリンタ装置を複数のメンバーや部門，グループにて共有して使用する際に、個人や部門毎のより多くの種類の利用者制限や課金管理を行うとともに、ユーザやプリンタ管理者の機器管理を容易にさせることができるプリンタコントローラ及びそれを使用したプリンタ装置を提供することを目的とするものである。」
　
　エ　「【００１７】
【発明の実施の形態】この発明のプリンタ装置は、プリンタコントローラとプリンタエンジンを有する。プリンタコントローラは、ホストインタフェースと、装置全体の動作を制御するＣＰＵと、各種制御プログラムを記憶したＲＯＭと、ＣＰＵのワークメモリや画像メモリとして使用するＲＡＭと、ビデオＤＭＡコントローラと、エンジンインタフェースと各種印刷条件等が設定されているＮＶＲＡＭ及び
拡張ＮＶＲＡＭモジュール
【００１８】このプリンタ装置で利用者制限するとき、ＣＰＵは拡張ＮＶＲＡＭモジュールのアドレスマップにあらかじめ登録されている部門であるかどうかの認証を行い、登録されている場合にのみ印刷を許可して印刷動作を行う。また、印刷が実行された場合には、アドレスマップのうち該当する項目の印刷枚数のデータを読み込み、+１をした値を再度書き込むことによりカウントアップを行う。この際、カラー印刷を行った場合には、現像した色成分に対して全てカウントアップを行う。例えばフルカラー印刷を行った場合には、ＣＭＹＫの各現像色のカウントアップを行う」
　
　オ　「【００１９】
【実施例】図１はこの発明の一実施例の構成を示すブロック図である。図に示すように、マルチファンクションプリンタ装置は、プリンタコントローラ１とプリンタエンジン２を有する。プリンタコントローラ１は、ホストインタフェース３と、装置全体の動作を制御するＣＰＵ４と、各種制御プログラムを記憶したＲＯＭ５と、ＣＰＵ４のワークメモリや画像メモリとして使用するＲＡＭ６と、ビデオＤＭＡコントローラ７と、エンジンインタフェース８と各種印刷条件等が設定されているＮＶＲＡＭ９及び拡張ＮＶＲＡＭモジュール１２を有する。
【００２０】ＮＶＲＡＭ９に記憶されている印刷条件等の設定には、例えば、印刷用紙が複数段の給紙ユニットで構成されている場合には、デフォルトで給紙する給紙ユニットの設定や、マルチパーパストレイが接続されている場合には、使用者によりセットされる用紙のサイズがプリンタ装置にはわからないため、その用紙サイズの設定や、
プリンタ装置のシリアル番号の設定
【００２１】拡張ＮＶＲＡＭモジュール１２は、図２に示すようなアドレスマップ１３で構成されている。図２におけるアドレスマップ１３には各部門毎に一つの管理内容が書かれているが、各部門に相当するデータは数千部門程度マッピングする。すなわち各部門の管理項目には、プリンタ機能と複写機機能とスキャナ機能及びファクシミリ機能が別々に管理されており、また、各アプリケーションの中でもそれぞれ多くのカテゴリーに分けられている。図２の例では、プリンタ機能では、まず用紙サイズ毎に分けられており、用紙サイズの中には、各現像色の印刷枚数を記憶しておく。また、現像色毎の印刷枚数以外にも各種の内容が記憶されている。また、図２の例では用紙サイズ毎に管理しているが、それ以外にも、さらに紙種毎にごとに分けて管理することもできる。このように拡張ＮＶＲＡＭモジュール１２をアドレスマップ１３として管理することにより、各部門や個人の印刷枚数を管理することができる。
【００２２】上記のように構成したプリンタ装置を使用してホストコンピュータ１０の使用者が印刷をしようとするとき、ホストコンピュータ１０上で動作するアプリケーションソフトウェアを利用して印刷を行いたい画像データを作成する。このとき使用者によって作成される画像データは複数ページに渡っているものや、カラーデータとして作成されるもの等各種の画像データが存在する。画像データの作成が完了した時点で、使用者はホストコンピュータ１０に接続されて、印刷が可能なプリンタ装置のうち、印刷を行いたいプリンタ装置を選択して印刷命令を発行する。この印刷命令には印刷部数の指定や両面印刷を行うかどうかの指定、カラーかモノクロかの指定、拡大，縮小率の指定、用紙のサイズ指定や、１枚の用紙に複数のページをまとめて印刷する集約印刷を行うか、そうでないかの指定、印刷動作をするときに速度を優先するか、画質を優先するか、またはコストを優先するかの指定など各種の印刷モードが指定される。なお、
ホストコンピュータ１０とプリンタコントローラ１が接続される形態は、１対１で接続されている場合や、ネットワークを介して接続されている場合などがある。使用者により印刷命令が発行されると、使用者から指定された各種モードを満足するように、ホストコンピュータ１０内部に記憶されているプリンタドライバ１１と呼ばれるソフトウェアにより接続されているプリンタコントローラ１が解読できるコードに変換してプリンタコントローラ１に変換した画像データのコードを出力する
【００２３】プリンタコントローラ１は、ネットワークや各種インターフェースにて構成されるホストインタフェース３によりホストコンピュータ１０からの画像データの受信を開始する。ホストインタフェース３は画像データの受信が始まると、ＣＰＵ４に対してインタラプトを発生させて印刷命令が発行されたことを知らせるとともに、受信した画像データをＲＡＭ６にバッファリングして一時的に記憶させる。ＣＰＵ４は受信してＲＡＭ６にバッファリングした画像データをプリンタエンジン２にて印刷が可能なようにするため、ＲＡＭ６にイメージ展開してコード情報として受信された画像をビットマップ情報に変換して記憶させていく。但しその際には、接続されるプリンタエンジン２の種類によって、多値で印刷が可能なプリンタエンジンの場合には多値にてイメージ展開し、２値のみ印刷が可能なプリンタエンジンの場合には２値にてイメージ展開を行う。また、ＲＡＭ６の空き容量等を考慮して適宜イメージ展開した画像データを圧縮させて記憶させる。
【００２４】ＣＰＵ４によりホストコンピュータ１０から送られてきた全ての画像データがビットマップイメージとしてＲＡＭ６にイメージ展開された時点、複数ページに渡る画像データの場合には、１ページ目の画像データのイメージ展開が完了した時点で、ＣＰＵ４はビデオＤＭＡコントローラ７にビデオＤＭＡ開始アドレス、転送バイト数、階調数等のビデオＤＭＡパラメータをセットする。さらにＣＰＵ４は接続されているプリンタエンジン２の状態を確認して、プリンタエンジン２が印刷可能となった時点で、ビデオＤＭＡコントローラ７にビデオＤＭＡ動作開始命令を発行し、プリンタエンジン２に印刷動作を開始させる。ビデオＤＭＡ動作開始命令が発行されると、ビデオＤＭＡコントローラ７はプリンタエンジン２からエンジンインタフェース８を通して入力された主走査方向の同期信号ＬＳＹＮＣと副走査方向の同期信号ＦＧＡＴＥといったビデオ制御信号線にしたがって画像データをエンジンインタフェース８に出力し、プリンタエンジン２で印刷を実行させる。この印刷動作が完了すると、プリンタコントローラ１は再びアイドル状態に復帰し、再びホストコンピュータ１０からの印刷命令がきた時点で印刷を行う。
【００２５】また、用紙ジャムなどのエラーが発生しなかった場合には、印刷動作が完了するとＣＰＵ４はＮＶＲＡＭ９内のトータルカウント値が書かれているアドレスの値を読み出し、その値に＋１した値を上書きすることにより、カウントアップさせる。同時に拡張ＮＶＲＡＭモジュール１２には、ＮＶＲＡＭ９よりも詳細なカウント情報を上書きする。」
　
　カ　「【００２６】また、利用者制限する際に、ＣＰＵ４は拡張ＮＶＲＡＭモジュール１２のアドレスマップ１３にあらかじめ登録されている部門であるかどうかの認証を行い、登録されている場合にのみ印刷を許可して印刷動作を行う。また、印刷が実行された場合には、アドレスマップ１３のうち該当する項目の印刷枚数のデータを読み込み、+１をした値を再度書き込むことによりカウントアップを行う。この際、カラー印刷を行った場合には、現像した色成分に対して全てカウントアップを行う。例えばフルカラー印刷を行った場合には、ＣＭＹＫの各現像色のカウントアップを行う。また、利用者制限の管理方法として、月にカラー印刷は何枚まで、モノカラー印刷は何枚までといったある期間内での印刷枚数の上限値を設定して管理する方式もある。この場合、アドレスマップ１３をトータルのカウンタ情報と、ある期間内例えば、月毎のカウンタ情報との２種類を用意して、印刷実行時には、その両者をカウントアップさせて対象となる部門（個人）が、あらかじめ決められた上限値を越えた場合には印刷を制限する。さらに、拡張ＮＶＲＡＭモジュール１２に登録されたカウンタ情報により、各部門への課金管理などが可能になる。課金管理の方法としては、例えば印刷枚数の応じて単純に課金する場合や、カラー印刷の場合には、その現像色それぞれの印刷した枚数により課金する方法など契約状況により多岐にわたる。この場合もアドレスマップ１３を用いることによって印刷枚数の管理が行えるため、どのような課金方式でも実現することができる。また、拡張ＮＶＲＡＭモジュール１２内の情報には、モノクロ及びカラープリンタの両者とも現像色単位での印刷枚数が管理されているため、印刷時に使用するトナーやインクといった消耗品が消費されてなくなる時期を推定することもできる。但し、この場合、印刷枚数のみの管理となるため、印刷した画像データの濃度やトナー又はインクの使用量により消耗頻度は変動するため、あくまで消費される目安が得られるだけである。しかし、ある程度の目安が得られる場合には、プリンタ管理者は、次回以降に補充するトナーやインクなどの消耗品をあらかじめ調達する目安が得られるため、プリンタ管理者の管理業務をサポートすることができる。
【００２７】また、例えばフルカラー印刷の場合には、ＣＭＹＫの全色のカウントデータをカウントアップすればよいが、ＣＭＹＫそれぞれの単色印刷の場合には、カウントアップはその現像色のみ+１ずつカウントアップをする。また、ＲＧＢといったＣＭＹＫのうちの２色を混合して印刷が行える場合には、使用した現像色のみの値をそれぞれ+１カウントアップする。また、ＣＭＹＫのうち３色の混合の場合も同様に使用した現像色のみの値をそれぞれ+１カウントアップを行う。このようにカウントアップすることにより、実際に使用した状態に即した精度の良い課金管理を行うことができる。」
　
　キ　「【００２８】上記実施例は
拡張ＮＶＲＡＭモジュール１２
不揮発性メモリとしてハードディスク（ＨＤＤ）
【００２９】但し、ＨＤＤ１４は半導体メモリ素子に比べてアクセス速度が非常に遅く、例えばＳＲＡＭのアクセススピードは数１０ｎｓに対して、ＥＥＰＲＯＭは１００ｎｓ程度に対してＨＤＤ１４は数μｓ〜数１０μｓ程度であるため、大容量のカウンタデータの記憶時には非常に役立つが、高速機のようにカウントアップするタイミングが非常に短いプロダクトの場合には、管理するパラメータが多いと書き込み速度が間に合わない場合が存在する。そこで、図４のブロック図に示すように、拡張ＮＶＲＡＭモジュール１２とＨＤＤ１４の両方をプリンタコントローラ１に設けると良い。このように拡張ＮＶＲＡＭモジュール１２とＨＤＤ１４の両方をプリンタコントローラ１に設けることにより、非常に高速にカウントアップを行い、かつ、非常に大容量のカウンタパラメータでも記憶することができる。」
　
　ク　「【００３３】
【発明の効果】この発明は以上説明したように、第１の不揮発性のランダムアクセスメモリにはトータル印刷回数を記憶させ、第２の不揮発性のランダムアクセスメモリには第１の不揮発性のランダムアクセスメモリよりも多くのカテゴリのカウンタ情報を記憶させるようにしたから、１台のプリンタ装置を複数のメンバーや部門，グループで共有して使用する際に、個人や部門毎の印刷枚数や印刷ページ数の管理や利用者制限または部門毎の印刷枚数を集計して課金管理を容易に行うことができる。また、従来から使用されてきたソフトウェアとの共通化が容易であり、システム構成が簡素化できて開発コストを低減させることができる。
【００３４】また、プリンタコントローラに接続されるプリンタエンジンには、複数の色により印刷が可能なカラープリンタエンジンを使用し、第２の不揮発性のランダムアクセスメモリには印刷時に使用した色成分毎のカウンタ情報を記憶させることにより、利用者や利用部門がカラープリントの使用比率や各色成分の使用統計を取ることや、現像色がフルカラーではなく使用するトナーやインクが２色又は３色だけの場合に、使用した現像色毎の課金管理を行うことにより、より正確な課金管理を行うことができるとともに、それぞれの使用枚数値によりトナーやインク等の消耗品がいつ補充する必要があるかを知ることが可能となり、ユーザやプリンタ管理者の機器管理を容易にさせることができる。
【００３５】さらに、第２の不揮発性のランダムアクセスメモリには複数の使用者，グループ毎に印刷した枚数を記憶させることにより、プリンタ管理者が各部門やグループの課金管理を容易に行うことができる。
【００３６】また、第２の不揮発性のランダムアクセスメモリｂにハードディスクを使用することにより、大規模な事業所など多くの部門にて多くのアプリケーションを使用する場合であっても、非常に多くの部門数を記憶させることができ、より機能を向上させることができる。」
　
　ケ　上記アないしクから、引用例１には、
「プリンタコントローラとプリンタエンジンとを有し、ホストコンピュータにより作成された文書や画像を印刷するプリンタ装置であって、
　前記プリンタコントローラは、ホストインタフェースと、装置全体の動作を制御するＣＰＵと、各種制御プログラムを記憶したＲＯＭと、ＣＰＵのワークメモリや画像メモリとして使用するＲＡＭと、ビデオＤＭＡコントローラと、エンジンインタフェース及び各種印刷条件等が設定され、かつトータルの印刷枚数のカウント値を記憶させて管理しているＮＶＲＡＭを有しており、
　ホストコンピュータにより作成した画像等を印刷するとき、ホストコンピュータが印刷を行うプリンタ装置を指定して、作成した画像の印刷命令を出すと、ホストコンピュータでは、接続されたプリンタ装置にあったプリンタドライバーソフトにより、画像データを変換し、接続先のプリンタ装置の前記ホストインタフェースに該画像データを出力し、該ホストインタフェースで印刷する画像データの受信が開始すると、前記ＣＰＵが送られてきた画像データをＲＡＭにイメージ描画・展開し、その後、前記プリンタエンジンに印刷起動命令を出して印刷を開始するとともに、前記プリンタエンジンでは、前記ＮＶＲＡＭに設定されているデフォルトで給紙する給紙ユニットの設定や、プリンタ装置のシリアル番号の設定、プリンタが印刷したトータルの印刷枚数の設定値や、あるいは印刷した際の用紙ジャム回数などのエラーの発生回数等を含む各種設定に従って印刷画像を作成し出力するプリンタ装置において、
　１つのプリンタ装置を複数の人や部門、グループにて共有して使用する際のコインラックやカードリーダによる利用者制限を行うための設定、カラーレーザプリンタ装置のユーザによりモノクロの印刷は利用可能とするがカラー印刷の利用制限をして各印刷色毎の課金管理を行う場合などのための各色成分毎のカウンタ情報、どの用紙サイズでそれぞれ何枚印刷されているか、どのような紙種例えば普通紙や再生紙やＯＨＯ又は厚紙等で印刷が何枚されているかや、各エミュレーションが何枚印刷されているか等の管理、複写機能やスキャナ機能の場合にも用紙サイズ毎にどの部門が何枚使用しているかの管理、ファクシミリ機能の場合は、それに加えて、各個人や部門毎にどの相手先と送受信したかの管理に応えるためには、電源遮断時においてもプリンタシステムが記憶しておかなければならないこれらの設定の情報が非常に多くなるため、より大容量の不揮発性メモリが必要であるので、
　前記ＮＶＲＡＭ（第１の不揮発性のランダムアクセスメモリ）とは異なった情報を記憶させる着脱自在な第２のランダムアクセスメモリである拡張ＮＶＲＡＭ又はハードディスクを備え、第１の不揮発性のランダムアクセスメモリにはトータル印刷回数（枚数）を記憶させ、第２の不揮発性のランダムアクセスメモリには第１の不揮発性のランダムアクセスメモリよりも多くのカテゴリのカウンタ情報を記憶させるようにしたプリンタ装置。」の発明（以下「引用発明１」という。）が記載されているものと認められる。
　
（２）当審拒絶理由で引用された「本願の出願前に頒布された刊行物である特開昭６４−８６１６４号公報（以下「引用例２」という。）」には、図とともに次の事項が記載されている。（審決注：丸付数字は便宜上［丸１］などと表記した。）
　ア　「２．特許請求の範囲
　１．
携帯可能なカードの読取手段と、
　暗証番号を入力するためのキースイッチと、
　無条件で記録可能な状態とする第１のモードと、規定のカードが読取手段にセットされたとき記録可能な状態にする第２のモードと、キースイッチから所定の暗証番号が入力されたとき記録可能な状態とする第３のモードの少なくとも３つのモードから１つのモードを選択するモード選択手段とを具備することを特徴とする記録装置
　２．携帯可能なカードはＩＣカードであることを特徴とする特許請求の範囲第１項記載の記録装置。
　３．モード選択手段は、規定のカードあるいは所定の暗証番号が入力されたとき記録可能な状態とする第４のモードを選択可能であることを特徴とする特許請求の範囲第１項記載の記録装置。」（１頁左下欄４〜２０行）
　
　イ　「「産業上の利用分野」
　本発明は
複写機
プリンタ等の画情報の記録を行うための記録装置
管理者等が装置の使用者等を制限することのできる
　
　ウ　「「従来の技術」
　複写機を例にとって説明すると、近年、その機能を高度化させた製品の開発が活発に行われてきている。例えば原稿の複写倍率についてみると、等倍の複写だけを行う複写機の他に幾種類かの倍率を選択できるものが登場し、更に連続的に倍率を変化できる複写機も登場している。現像についてみても、１種類のトナーを用いていわゆる白黒で画像の再現を行う複写機の他に、２種類以上のトナーを用いて多色記録や記録を行う色を選択することのできる複写機が登場している。原稿の取り扱いについて見てみると、原稿を自動的に取り替える装置の付いた複写機が登場したり、製本原稿の見開き２ページを原稿自体を動かさずに１ページずつ順に複写していく複写機も登場している。
　このような高機能の複写機は、一般にパーソナルユースとされている簡易な複写機と異なり、比較的小さな部署同士で共同して管理することが多い。このような場合には、複写機に関する経費をこれらの部署が共働で管理することになる。
　このため、従来ではコピー枚数の管理を行う
特別の装置を複写機にセットし
各部署にそれぞれの部署専用の磁気カードを配付し
磁気カードを装置にセットしないとコピーがとれないようにしておく。磁気カードを使用してコピーをとると、装置はどの部署のカードが使用されたかの判別を行い、部署間で経費の管理ができるようなデータを記憶する
「発明が解決しようとする問題点」
　ところがこのような複写システムでは、次のような問題点があった。
　（ｉ）複写機を共同管理する場合には、前記した
特別の装置
複写機を１つの部署が専用で使用するようになると、その特別の装置が無駄とな
　（ｉｉ）顧客に必要な書類のコピーを自由に採らせたりするように、
特定の時間だけその複写機の使用を管理しないようにするような場合、一々特別の装置を取り外したり取りつけたりする手間が生じ、
　そこで本発明の
目的は、管理者等によって記録装置の管理形態を容易に変化させることができる記録装置を提供すること
「問題点を解決するための手段」
　本発明では第１図に原理的に示すように、
（ｉ）
ＩＣカード等の
　モード選択手段１３は、規定のカードあるいは所定の暗証番号が入力されたとき記録可能な状態とする第４のモードを選択できるようなものであってもよいし、更に他のモードを選択できるものであってもよい。また、カードあるいは暗証番号によってコピー等が可能になるばかりでなく、カードにセットされた情報の種類や暗証番号の内容によって、実行することのできる機能を差別してもよい。
　本発明によれば、例えば複写機の管理者がモードを自在に設定することができるので、その記録装置が記録可能となる状態を臨機応変に変化させることができる。」（１頁右下欄１５行〜２頁右下欄７行）
　
　エ　「
（１）複写機のシステム構成
　第２図は本発明の一実施例における複写機のシステム構成を表わしたものである。
　この図に示すように本実施例の複写機は、最も基本的な構成としてのベースマシン２１に所望の付加装置を取りつけることによって実現される。ここでベースマシンとは、１段の供給トレイとマニュアルフィード用のトレイを備え、プラテンガラス上に原稿をマニュアルでセットしてコピーをとることのできる装置である。この
ベースマシンに
次のような付加装置を取りつけ
　（１）ＩＣカード装置２２；
　
ＩＣカード装置２２はＩＣカードを用いて必要なデータをベースマシン２１に供給したり、反対にベースマシン２１からＩＣカードにデータを書き込むときに使用する装置である
第２のモード
所定のＩＣカードをＩＣカード装置２２にセットしなければコピー作業を行うことができない
第４のモード
　なお、この複写機で
第１のモード
複写機が工場から出荷されたときの初期モードであり、ＩＣカードを用意したり暗証番号を入力することなくコピー作業を開始させることのできるモードである
第３のモード
第１〜第４の４種類のモードを選択することができ
…略…
　ところで、本実施例のＩＣカード装置２２に使用するＩＣカードはＩＳＯタイプのインターフェイスを持ち、メモリ容量は６４キロバイトである。ＩＣカードを使用することにより、各種付加装置のプログラムやその他必要なデータをカードに格納することができ、複写機の自動化および多機能化に充分対処することができる。またＩＣカードにその所有者の希望する複写条件（コピー用紙のサイズ、コピー濃度、コピー枚数、縮倍率等の組み合わせ）を記憶させておくことにより、複雑な機能を有する複写機であってもこれらの所有者に合った操作方法を実現することができ、だれもが簡単に、また間違いなく複写機を操作することができるようになる。」（３頁右上欄６行〜４頁左上欄５行）
　
　オ　「
（２）ソフトウェアの構成
（２−１）ソフトウェアの組み合わせの長所
　ところで、以上説明した複写機のシステム構成は、この実施例の複写機のソフトウェアの組み合わせとしても説明することができる。すなわち、この複写機は各種の付加装置を取りつけることができるのに対応して、ソフトウェアについてもこれら各付加装置に対応したシステム構成を採ることができるようになっている。
　このような構成を採用した理由の１つは、
（ｉ）これらの付加装置すべての動作制御プログラムを仮にベースマシン２１に用意するとすれば、このために必要とするメモリの容量が膨大になってしまうことによる。また、（ｉｉ）将来新しい付加装置を開発したり、現在の付加装置の改良を行った場合に、ベースマシン２１内のＲＯＭ（リード・オンリ・メモリ）の交換や増設を行うことなく、これらの付加装置を活用することができるようにするためである。
　このためＩＣカードには、各種記録条件を登録した複数の記憶領域Ｍ１〜ＭＮを有する記録条件指定領域と、付加的なプログラムを格納するプログラム記憶領域とが設けられている。そしてこれに対応してベースマシン２１には複写機の基本部分を制御するための基本記憶領域と、ＩＣカードのプログラム記憶領域から取り込まれたプログラムを記憶する付加記憶領域と、ＩＣカードの記録条件指定領域から取り込まれた記録条件を記憶する記録条件記憶領域とを配置したメモリが存在する。付加記憶領域には、ＡＤＦ２３の制御プログラム、ＤＡＤＦ２４の制御プログラム、コンソールパネル２８の制御プログラム等の各種プログラムが格納されるようになっている。そして、ベースマシン２１に所定の付加装置を取りつけた状態でＩＣカードをＩＣカード装置２２にセットすると、コピー作業に必要なプログラムが読み出され、付加記憶領域にロードされるようになっている。このロードされたプログラムは、基本記憶領域に書き込まれたプログラムと共働して、あるいはこのプログラムに対して優先的な地位をもってコピ−作業の制御を行う。
（２−２）差別化の例
　このようにこの実施例の複写機はＩＣカードのプログラム記憶領域に格納されたプログラムが複写機の機能を左右することができ、記録条件指定領域では複写機本体の基本記憶領域およびＩＣカードのプログラム記憶領域によって設定された機能に対する記録条件を指定することになる。従って、ＩＣカードに格納されるプログラムをカード単位で変化させることで、複写機の使用に対する差別化が可能になる。これについて、分かり易い例を幾つか挙げて説明する。
　第１の例として、雑居ビルに複数の会社が共同使用する複写機が備えられていたり、一つの会社内や工場内であっても異なった部門間で共同使用する複写機が備えられている場合を説明する。後者の共同使用は、予算管理上で必要となるものであり、従来ではコピーライザ等の機器を用いて各部門の使用管理を行っていた。
　この複写機は、第２図で示したベースマシン２１にＩＣカード装置２２、ＤＡＤＦ２４、ソータ３８、コンソールパネル２８、第２〜第５の供給トレイ３１−２〜３１−５、および中間トレイ３３を備えた比較的高度なシステム構成の複写機であるとする。共同使用者の中には、ＤＡＤＦ２４やソータ３８を必要とする人あるいは部門もあれば、なんら付加装置を必要としない人または部門もある。
　これら使用態様の異なる複数の人または部門が複写機の費用負担を各自のコピーボリュームからだけで決定しようとすれば、低ボリュームのコピーしかとらない人または部門は、各種付加装置が装備された複写機の導入に反対してしまい、複写機を高度に使用しようとする人または部門との間の調整が困難となってしまう。
　このような場合には、各人または各部門の使用態様に応じたＩＣカードを用意しておき、高度な機能を望む人あるいは部門ほど基本的な費用を多く負担すると共に、多くの機能を活用することができるようにしておけばよい。例えば最も高度なＩＣカードの所有者は、そのＩＣカードをＩＣカード装置２２にセットした状態で複写機を動作させることにより、ＤＡＤＦ２４、ソータ３８、第２〜第５の供給トレイ３１−２〜３１−５、および中間トレイ３３を自在にベースマシン２１に取りつけて使用することができ、事務効率も向上させることができる。これに対してコピー用紙のソーティングを必要としない人は、ソーティングについてのプログラムを欠くＩＣカードをセットして、ソータ３８の最上ビンを排紙トレイとして使用したり、ソータ３８の代わりに排出トレイ３７が取り付けられた状態の複写機でコピー作業を行い、複写機に関する経費を節減することができる。
　第２の例として、コピー業者がＩＣカードでセルフコピーサービス店を営む場合を説明する。
　店の中には、複数台の複写機が配置されており、それぞれにＩＣカード装置が取りつけられている。客はサービス態様に応じたＩＣカードを請求し、これを自分の希望する複写機にセットしてセルフサービスでコピーをとる。複写機に不慣れな客は、操作説明の表示機能をプログラムとして備えたＩＣカードを請求し、これをセットすることでコンソールパネル２８に各種操作情報の表示を可能とし、コピー作業を間違いなく実行することができる。ＤＡＤＦ２４の使用の可否や、多色記録の実行の可否等も貸与するＩＣカードによって決定することができ、また使用機種の制限も可能となって料金あるいは複写機能にあった客の管理およびそれぞれの複写機の用途別管理が可能になる。更にコピー枚数や使用したコピー用紙のサイズ等のコピー作業の実態をＩＣカードに書き込むことができるので、料金の請求が容易になり、常連客に対するコピー料金の割り引き等の細かなサービスも可能になる。
　第３の例として、特定ユーザ向けのプログラムを格納したＩＣカードを用いたサービスについて説明する。例えば特許事務所では写真製版により縮小された特許公報類を検討するときに原寸と同一のコピーをとる必要から２００％という比較的大きな拡大率でコピーをとる仕事がある。また官庁に提出する図面を作成する際に、その要請に応えるために元の図面を小刻みに縮小あるいは拡大する作業が行われる。また、市役所あるいは区役所等の住民票のコピーを行う部門では、請求の対象外となる人に関する記載箇所や個人のプライバシを保護するために秘密にすべき箇所の画情報を削除するようにして謄本や抄本を作成する。
　このように使用者（ユーザ）によっては、複写機を特殊な使用態様で利用する要求がある。このような要求にすべて満足するように複写機の機能を設定すると、コンソールパネルが複雑となり、また複写機内部のＲＯＭが大型化してしまう。そこで特定ユーザ別にＩＣカードを用意し、これをセットさせることで、あるいはそのＩＣカードに適したコンソールパネル等の付加装置を適宜複写機本体に付加することで、そのユーザに最も適する機能を持った複写機を実現することができる。
　例えば特許事務所の例では、専用のＩＣカードを購入することで、固定倍率として通常の数種類の縮倍率の他に２００％の縮倍率を簡単に選択できるようになる。また微調整を必要とする範囲で例えば１％刻みで縮倍率を設定することができるようになる。これらのとき、必要であればそれ専用のコンソールパネルをベースマシン２１に取り付け、操作の便宜を図ることができる。
　更に住民票の発行部門では、テンキー等のキーを操作することによって液晶表示部等のディスプレイに住民票の種類や削除すべき欄や項目を指示することができるようになり、この後スタートボタンを押すことでオリジナルの所望の範囲のみがコピーされたり、必要な部分のみが編集されて記録されるようになる。
　以上説明したような複写機の使用における差別化は、記憶媒体としてのＩＣカード１３１の表面になんらかの表示を行うことで明瞭となり、また間違って他人のカードを所持するという危険がなくなる。また他人がＩＣカード１３１のプログラムを改変してより高度な機能を持たせたとしても、ＩＣカードの外観との関係でその不正を発見することが可能である。このために、ＩＣカード１３１の表面はその機能との関係で、金、銀、赤、青等の色で塗り別けることが好ましい。」（５頁左下欄１行〜７頁左下欄２行）
　
　カ　「第７図はこの実施例の複写機で中枢的な役割を果たす
メインＣＰＵ
　なお、複写機をＣＰＵあるいはいわゆるマイクロコンピュータ等の制御装置で制御することはゼロックス社のシカンダ・シェイク（ＳＩＫＡＮＤＡＲ　ＳＨＥＩＫＨ）によるＩＥＥＥの論文「Ａ　Ｐｒｏｇｒａｍｍａｂｌｅ　Ｄｉｇｉｔａｌ　Ｃｏｎｔｒｏｌ　Ｓｙｓｔｅｍ　ｆｏｒ　Ｃｏｐｙｉｎｇ　Ｍａｃｈｉｎｅｓ」ＩＥＥＥ　Ｔｒａｎｓ．Ｃｏｍ，Ｖｏｌ　ＩＥＣＩ−２１，Ｎｏ．１，Ｆｅｂ．１９７４および特開昭５０−６２６４４号公報「電子写真複写法およびその装置」等を起点とする論文や公報で周知となっている。他のＣＰＵモジュールもメインＣＰＵと同様に、ワンチップＣＰＵ、ＲＯＭ、ＲＡＭ、Ｉ／Ｏ等からなる構成を取っていることははいうまでもない。
　（イ）メインＣＰＵ１２１は、第６図でも一部説明したようにシリアルな通信ライン１２３、１２４を通じて次の各部と接続されている。
（ｉ）ＤＡＤＦ２４。
（ｉｉ）ソータ３８。
（ｉｉｉ）
液晶表示部１１２
（ｉｖ）ＩＣカード・エディタパッド用インタフェース（Ｉ・Ｅインタフェース）１３０；ＩＣカード装置２２に配置されたインタフェース回路であり、ＩＣカード１３１やエディタパッド１３２を複写機本体に接続したときこれらとメインＣＰＵ１２１側とでデータの授受を行わせる。
（ｖ）インターイメージランプコントローラ１５７。
（ｖｉ）第４、第５の供給トレイ３１−４、３１−５、中間トレイ３３等を制御するトレイ制御部１３３。
　（ロ）また、このメインＣＰＵ１２１はＡ／Ｄ変換器を内蔵しており、アナログデータライン１３４を通じて次の各部と接続されている。このようなＣＰＵとしては、例えば日本電気株式会社のμＰＤ７８１０ＣＷ、μＰＤ７８１１ＣＷや富士通株式会社のＭＢ８９７１３Ｘ等の８ビットワンチップＣＰＵを挙げることができる。
（ｉ）光量センサ１３５；露光ランプ５６（第４図）の光量を検知してその制御を行う際に使用されるセンサである。
（ｉｉ）温度センサ群１３６；後に説明する定着温度コントロール用のソフト・タッチ・センサ等のセンサである。
（ｉｉｉ）用紙サイズセンサ群１３７；
　供給トレイ３１等に収容される用紙のサイズを検知するセンサである。本実施例の複写機のシステム構成によると、コピー用紙６０を最大５種類のトレイから送り出すことができる。従って、１つの供給トレイに用紙サイズの検知用に４つのセンサを配置したとし、この処理にディジタルデータを用いるとすると、１つのトレイから４ビットのディジタルデータをメインＣＰＵ１２１に送出する必要が生じ、合計で最大２０個のインプット用のポートが必要になるばかりでなく、コネクタの数やハーネスを構成するケーブルの数が多くなってしまう。これは、コストや小型化の要請および信頼性の観点から好ましくない。
　そこで本実施例の複写機では、１つのトレイごとに４つのセンサの状態によって特定される状態をアナログデータとして送出することにする。メインＣＰＵ１２１側では送られてきたアナログデータをディジタルデータに変換し、それぞれのトレイに収容されているコピー用紙６０のサイズを最大１６種類まで判別することになる。
（ハ）更にメインＣＰＵ１２１はリセット回路１３８で暴走時やイニシャライズ時にリセットされる他、バスライン１２１Ａを介して
次の各部と接続されている
（ｉ）キーボード・デイスプレイＬＳＩ（大規模集積回路）１２１Ｂ；コンソールパネル２８との間でデータの仲介を行う回路である。
（ｉｉ）タイマ・カウンタＬＳＩ１２１Ｃ；メインモータ１６４やキャリジモータ１７１の駆動を制御する回路である。
（ｉｉｉ）ＲＯＭ１２１Ｄ；５６Ｋバイトの容量を持ち、複写機の基本的な部分についての制御情報等を格納した
リード・オンリ・メモリ
（ｉｖ）ＲＡＭ１２１Ｅ；最小の複写機システムではベースマシン２１に５６ＫバイトのＲＡＭ（ランダム・アクセス・メモリ）１２１Ｅが用意されているが、
付加装置の取り付けの可能性によって
増設が行われる
ＩＣカード装置２２を経由してＩＣカードの複数枚分のデータが書き込まれる他、複写機の制御時にも必要なデータが一時的に格納される
　
ＲＡＭ１２１Ｅには前述した不揮発性メモリ（ＮＶＭ）１２１Ｆが接続されており、複写機の電源がオフとなった場合でも必要なデータを保存できるようになっている
　ここで不揮発性メモリ（ＮＶＭ）１２１Ｆに
格納される必要なデータ
（ｅ）各供給トレイ３１等のフィードカウンタの使用実績値等のように複写機の使用状態を把握するためのデータ
（ｖ）第１のＩ／Ｏコントローラ１２１Ｇ；フィルタ回路１２１Ｈを介して各種データの入力を行い、ドライバ回路１２１Ｉを介して各種部品の駆動を行う入出力コントローラである。ここでフィルタ回路１２１Ｈには、例えば各種スイッチやセンサが接続されている。またドライバ回路１２１Ｉには、後に説明するデベソレノイド等のソレノイドや供給トレイ３１−１〜３１−５内の同じく後に説明するクラッチ２３３等が接続されている。
（ｖｉ）第２のＩ／Ｏコントローラ１２１Ｊ；フィルタ回路１２１Ｋを介して各種データの入力を行い、ドライバ回路１２１Ｌを介して各種部品の駆動を行う入出力コントローラである。ここでフィルタ回路１２１Ｋには、例えば各種スイッチやセンサが接続されている。またドライバ回路１２１Ｌは周知のＤ／Ａ　（アナログ−ディジタル）変換器やＰＷＭ（パルス幅変換器）を具備しており、プログラムの処理に従って、後に説明する現像装置５９のデベバイアスの設定やチャージコロトロン５２等の電流値の設定を行うようになっている。」（１３頁右下欄１０行〜１５頁右上欄２０行）
　
　キ　「
（７）ＩＣカードによるデータの読み込み
（７−１）ＩＣカードの利点
　さて、本実施例では第２および第４のモードでコピー作業を開始させる必要条件としての他に、複写機との間でデータの交換を行う記憶媒体としてＩＣカード１３１を使用することにした。記憶媒体としては、カード状に形成することのできるものに限定しても代表的なものに（ｉ）磁気カード、（ｉｉ）ＩＣカードおよび（ｉｉｉ）光カードがある。
　このうち（ｉ）磁気カードは磁気ストライプに情報を記憶するもので、主として銀行のキャッシュカードや各種クレジットカードとして用いられているものである。この磁気カードは一般に７２バイトの記憶容量を持ち、７２文字の記憶が可能である。磁気ヘッドを用いて情報の読み書きを行うことができ、反復使用が可能である。カード自体の価格が大変安いが、カード上での演算ができないことと、記憶容量が大変に少ないことが欠点として挙げられている。
　これに対して（ｉｉ）ＩＣカードは、カード内に
ＣＰＵ（中央処理装置）とメモリを
データの読み書きと反復使用が可能であ
　最後に（ｉｉｉ）光カードは写真製版法で情報を書き込み、これを光センサを用いて読みだそうとするものであり、記憶容量は例えば４００Ｋバイトから２Ｍ（メガ）バイトと非常に大きい。製造価格は量産時にかなり安くなるが、カード上での演算や情報の追記が不可能であり、現状では書籍や辞書、電話帳、教育用ソフト等の用途が期待されている。
　本発明で記憶媒体として要求されるのは、コピー作業を開始させる条件という点について考察するとＩＣカード装置２２にセットされて情報の読み出しを行なえるものである。従って、３つの媒体共、使用可能である。
本実施例では磁気カードと較べて記憶容量が大きく、かつセキュリティでも格段に優れているＩＣカードを記憶媒体として複写機に使用することにしている
　なお、本実施例の複写機に適用することのできる他の記憶媒体としては、３．５インチ等のフロッピーディスクや磁気テープあるいは磁気バブルメモリ等も存在する。
（７−２）ＩＣカード装置の構成
　第２１図は、ＩＣカード装置におけるＩＣカードの接続部分の回路構成の要部を表わしたものである。
ＩＣカード装置２２は
　カード用ＣＰＵ１２９は２つのシリアルパラレル変換器５１３、５１４に接続されている。第１のシリアルパラレル変換器５１３はＩＣカード装置２２にセットされるＩＣカード１３１との間でシリアルデータの送受を行い、カード用ＣＰＵ１２９との間でパラレルデータの送受を行うようになっている。第２のシリアルパラレル変換器５１４は、ベースマシン２１との間でシリアルデータの送受を行い、シリアルパラレル変換あるいはパラレルシリアル変換を行ってカード用ＣＰＵ１２９との間でパラレルデータの送受を行う。
ＩＣカード装置２２内には２つのクロック発生回路５１５、５１６が用意されており、第１のクロック発生回路５１５は、１０ＭＨｚのクロック信号をＩＣカード１３１に供給する。また、第２のクロック発生回路５１６は、７．３７２８ＭＨｚのクロック信号をカード用ＣＰＵ１２９に供給する。
　カード用ＣＰＵ１２９は出力ポート５１８を介してＩＣカードに電圧ＶＯおよびＶＰＰを供給し、またリセット信号ＲＳＴの供給も行う。また入力ポート５１９を介して
ＩＣカード１３１からインサート信号ＩＮＳおよびカード有り信号ＣＡＲＤの供給を受けるようになって
（７−３）データの読み込み　
　第２２図は、第７図に対応したものでＩＣカード１３１がＩＣカード装置２２にセットされる場合のデータの流れを表わしたものである。
ＩＣカード１３１をＩＣカード装置２２にセットすると、ベースマシン２１はこれを検知し、所定のタイミングでデータの読み込みを開始する
　この大容量転送については、本特許出願人が昭和６２年４月２２日に「シリアル通信制御方法」という名称で出願した特願昭６２−０９７４４０号に詳細な開示がある。
　メインＣＰＵ１２１に送られたＩＣカード１３１のプログラムは、ＲＡＭ１２１Ｅに格納される。そしてＢＣＣ方式によるエラーチェックが行われた後、ＲＯＭ１２１Ｄ内に格納されている所定のプログラムに沿って「使用可能」な状態にある付加装置に対する各種制御が行われることになる。
　ＲＯＭ１２１Ｄに格納されているプログラムには、ジョブ管理プログラム、タスク管理プログラム、入出力データ制御プログラム等がある。ここでジョブ管理プログラムとは、ＲＡＭ１２１Ｅに格納されているプログラムのジョブ実行順序を管理するプログラムである。また、タスク管理プログラムとは、独立に実行可能な仕事の最小単位としてのタスクの生成と消滅を行うプログラムである。更に、
入出力データ制御プログラムとは、ＩＣカード１３１内にあるデータをＲＡＭ１２１Ｅ上に移動するためのプログラム
各種データは
不揮発性メモリ１２１Ｆ
のデータ記憶領域に書き込まれる
　なお、以上ＩＣカード１３１から複写機本体に対するデータの流れを説明したが、
複写機本体に蓄えられたデータをＩＣカード１３１に書き込む場合にもこれと同様な大容量転送が行われる
　
　ク　「
（８）管理者によるモードの設定
　それでは、次に本実施例で管理者がどのようにして各モードを設定するかの説明を行う。すでに説明したように、第１のモードは無条件でコピー作業を行うことのできるモードであり、第２のモードは所定のＩＣカード１３１がＩＣカード装置２２にセットされた場合のみコピー作業を許すモードである。第３のモードは、テンキー８０から所定の暗証番号が入力されたときのみコピー作業を許すモードである。第４のモードは、所定のＩＣカード１３１がＩＣカード装置２２にセットされるか、テンキー８０から予め設定された暗証番号が入力されたとき、すなわちいずれかの方法を満足したときにコピー作業を許すモードである。
　第２３図は、工場から出荷されオフィスに設置された初期状態の複写機を第２のモードに設定するための流れを表わしたものである。この初期状態で複写機が第１のモードに設定されているものとすれば、この図では第１のモードから第２のモードへのモード変換の作業を表わしているということになる。
　さて、複写機の図示しない
電源スイッチが投入されると
液晶表示部１１２には「コピーできます」という表示が行われ、
　この状態は第１のモードであり、このままではコピー作業の制限を行うことができない。モードの変更を行う管理者は、この状態でオーディトロン・ボタンという特別のボタンを押す。オーディトロン・ボタンは第３図に示したコンソールパネル２８に独自に配置してもよいが、そうすると第３者に不用意に押され、モード変更の手順を解明されるおそれがある。そこで本実施例の複写機ではオールクリアボタン１１４と自動濃度調整スイッチ９７（共に第５図）をオーディトロン・ボタンとして定義し、オールクリアボタン１１４を押し続けた状態で自動濃度調整スイッチ９７を押すとオーディトロン・ボタンが押された状態になるようにした。複写機によっては、特別のＩＣカード１３１をＩＣカード装置２２にセットした状態で所定のオーディトロン・ボタンを押すことで、より厳格に操作適格者をチェックすることができる。
　このようにしてオーディトロン・ボタンが押されたら（ステップ［丸２］）、液晶表示部１１２に「オーディトロンは使えません」という表示が行われる（ステップ［丸３］）。この状態でテンキー８０から所定の暗証番号を入力しないで（ステップ［丸４］；Ｎ）６秒が経過したら（ステップ［丸５］；Ｙ）、複写機はステップ［丸１］に戻る。すなわち、この場合には管理者が複写機を各種操作するためのモード（管理者モード）に設定するための操作が成功しなかったことになる。
　これに対してテンキー８０から所定の暗証番号（ここでは“００００１”）が入力されたら（ステップ［丸４］；Ｙ）、
複写機は管理者モードに設定され
モード設定を行うための番号
入力する
複写機は不揮発性メモリ１２１Ｆに書き込まれているデータを読み出し、その結果として現在設定されているモードの表示を行う
液晶表示部１１２に「マシーン・モード＝０」と表示が行われ
テンキー８０から数値を入力すると、複写機はそれに対応するモードに設定され
変更後のモードが液晶表示部１１２に表示され
この時点で新たなモードを示すデータは不揮発性メモリ１２１Ｆに書き込まれている。従ってこの状態で複写機の電源がオフとなっても、複写機は新たなモードとしての第２のモードに設定された状態を保持する
　もし、管理者等が電源をオンにした状態に保持するする場合には、オールクリアボタン１１４を押せばよい（ステップ［丸１２］）。すると複写機は現在設定されているモードにおけるコピー作業開始のための条件を液晶表示部１１２に表示する。すなわちこの第２のモードでは、「カードを入れて下さい」という表示が行われる（ステップ［丸１３］）。なお、ステップ［丸１０］で入力ミスがあった場合には、液晶表示部１１２に「その番号は登録されていません」というメツセージが３．５秒間表示される（ステップ［丸１４］）。そして、その後ステップ［丸６］に戻り、再度ファンクション番号の入力が促される。
　以上、第１のモードから第２のモードへの変換について説明したが、他のモードへの変換も同様にして行われる。もちろん、他のモードに変換した場合に、更にこれをその他のモードに変換したり、第１のモード等に戻すこともできる。
　第２４図〜第２７図はこのようにして複写機が所定のモードに設定された場合における液晶表示部１１２の表示状態を表わしたものである。複写機が第１のモードに設定されている場合には、第２４図に示すように「コピーできます」という表示が行われる。
第２のモードに設定されている場合には、第２５図に示すように「カードを入れて下さい」という表示が液晶表示部１１２で行われる
　
　ケ　「
（９）各モードによるコピー作業
（９−１）第２のモード
　第２８図は、複写機が第２のモードに設定された場合におけるコピー作業開始のための動作を説明するためのものである。すでに第２３図および第２５図で説明したように、
第２のモードでは電源を投入して複写機がレディ状態となると、
「カードを入れて下さい」という表示が行われ
この状態でオペレータがＩＣカード装置２２に所定のＩＣカード１３１を入れると
複写機はＩＣカードからその暗証番号を読み出し、複写機の不揮発性メモリ１２１Ｆに格納されている暗証番号に一致するかどうかを判別する
　なお、部署側の管理が行われている複写機では、暗証番号が部署側に設定されており、更に同じ部署でも複写機の使用にランクを設けている場合がある。従って、暗証番号の一致判断は、複写機側に用意されている複数の暗証番号の１つに一致するかどうかの判別作業である。
　
暗証番号が一致しなければ
ＩＣカード装置２２からＩＣカードが自動的に排出され
、再び初期状態の表示
が行われ
これに対して、暗証番号が一致していれば（ステップ［丸４］；Ｙ）、液晶表示部１１２に「コピーできます」という表示が行われる
（９−２）第３のモード
　第２９図は複写機が第３のモードに設定された場合におけるコピー作業開始のための動作を説明するためのものである。この第３のモードでは電源を投入して複写機がレディ状態となると、「コピーできます」という表示の代わりに「ユーザ番号を入力してＡボタンを押して下さい」という表示が行われる（ステップ［丸１］）。この状態でオペレータがテンキー８０を用いて所定の数値を入力しＡボタンを押すと（ステップ［丸２］）、複写機はその数値（暗証番号）が複写機の不揮発性メモリ１２１Ｆに格納されている暗証番号に一致するかどうかを判別する。（ステップ［丸３］）これらの暗証番号は、この複写機ではそれぞれ５桁に設定されている。
　暗証番号が一致しなければ（ステップ［丸４］；Ｎ）、ＲＡＭ１２１Ｅの所定の記憶領域に初期的に書き込まれている数値“０”に数値“１”が加算される（ステップ［丸５］）。そしてこの数値が“３”未満のこの状態では（ステップ［丸６］；Ｙ）、再び初期状態の表示（ステップ［丸１］）が行われる。これにより、オペレータは再び暗証番号を入力する機会を与えられる。２度目に入力された暗証番号も一致しなければ（ステップ［丸４］；Ｎ）、ＲＡＭ１２１Ｅの前記した記憶領域に書き込まれている数値が更に＋１が加算される。そして、ステップ［丸１］に戻る。
　このようにして、オペレータは暗証番号の入力を３回だけ許されることになる。もし、３回目に入力した暗証番号も一致しなければ、前記した記憶領域に書き込まれだ数値が“３”以上となる。これと共に複写機は１分間ブザー音を鳴動させ（ステップ［丸７］）、ステップ［丸１］に戻る。すなわち、暗証番号を知らない者がコピー作業をしようとしてテンキー８０から数値を入力しても、４回目からはその度にブザー音が鳴動することになり、事実上暗証番号を探り当てることが不可能になる。
　一方、入力した暗証番号が一致した場合には（ステップ［丸４］；Ｙ）、前記した記憶領域の数値が“０”にクリアされると共に、液晶表示部１１２に「コピーできます」という表示が行われる（ステップ［丸８］）。そして、スタートボタン１１７が押されれば（ステップ［丸９］；Ｙ）、コピー作業が実行されることになる（ステップ［丸１０］）。
（９−３）第４のモード
　第４のモードは、第２および第３のモードの組合わされた形なので、その詳細な説明は省略する。本実施例の複写機ではＩＣカード１３１について複写機機能の差別化を行ったが、最低ランクのＩＣカードによって実行される機能を、この第４のモードではテンキー８０から入力された場合の機能と一致させることができる。このようにすることにより、比較的高度な地位をもったＩＣカード１３１を所有する者は、カードを取り出すことなくコンソールパネル２８の操作のみで比較的簡単なコピー作業を行い、高度なコピー作業についてはＩＣカードでプログラムをロードしてその実行を行うといった効率的な操作が可能となる。
　以上第１〜第４のモードについて説明したが、この他、例えばＩＣカードとテンキーの双方で暗証番号を二重に入力するモード等のモード設定が可能である。」（２８頁左下欄４行〜２９頁左下欄１８行）
　
　コ　「「発明の効果」
　このように本発明では、
ＩＣカード等の携帯可能な記録媒体と、テンキー等のキースイッチといった２種類の入力手段を用いて記録可能な状態への選択を行なえるようにしたので、安全性や使用の便宜といった各種状況を把握しながら記録装置を適切なモードに設定することができる
　
また複数のモードから１つのモードを選択させてコピー作業を行わせることとしたので、記録装置の所属の変更等があってもその装置の性格を変えることができ、これにより記録装置の使用期間を延長することができて経済的である
　
　サ　上記アないしコから、引用例２には、
「複写機、プリンタ等の画情報の記録を行うための記録装置において、
　特別の装置を記録装置にセットし、各部署にそれぞれの部署専用の磁気カードを配付し、磁気カードを特別の装置にセットしないと記録できないようにしておき、磁気カードを使用して記録をすると、特別の装置はどの部署のカードが使用されたかの判別を行い、部署間で経費の管理ができるようなデータを記憶するようにした従来の記録装置では、記録装置を１つの部署が専用で使用するようになると、その特別の装置が無駄となり、特定の時間だけその記録装置の使用を管理しないようにするような場合、一々特別の装置を取り外したり取りつけたりする手間が生じるので、管理者等によって記録装置の管理形態を容易に変化させることができる記録装置を提供することを目的として、
　リード・オンリ・メモリ（ＲＯＭ）、付加装置の取り付けの可能性によって増設が可能なＲＡＭなどと接続されているメインＣＰＵを有するベースマシンに、
　液晶表示部と、
　ＩＣカードを用いて必要なデータを前記ベースマシンに供給したり、反対に前記ベースマシンからＩＣカードにデータを書き込むときに使用する装置であるＩＣカード装置と、
　暗証番号などを入力するためのキースイッチと、
　ＩＣカードを用意したり暗証番号を入力することなく記録作業を開始させることのでき、無条件で記録可能な状態とする第１のモードと、所定のＩＣカードをＩＣカード装置にセットしなければ記録作業を行うことができず、規定のカードが読取手段にセットされたとき記録可能な状態にする第２のモードと、キースイッチから所定の暗証番号が入力されたとき記録可能な状態とする第３のモードの少なくとも３つのモードから１つのモードを選択するモード選択手段とを取り付け、
　前記ＩＣカード装置に使用するＩＣカードは、ＣＰＵ（中央処理装置）とメモリとインターフェイスを持ち、記憶容量が大きく記憶媒体として使用でき、かつセキュリティでも格段に優れていて、データの読み書きと反復使用が可能なものであって、
　前記ＲＡＭを、前記ＩＣカード装置を経由してＩＣカードの複数枚分のデータが書き込まれる他、記録装置の制御時にも必要なデータが一時的に格納されるものとし、
　前記ＲＡＭに不揮発性メモリ（ＮＶＭ）を接続し、記録装置の使用状態を把握するためのデータ等の必要なデータを格納し、記録装置の電源がオフとなった場合でも必要なデータを保存できるようになし、
　前記ＩＣカード装置は、前記ＩＣカードからインサート信号およびカード有り信号の供給を受けるようになっており、前記ＩＣカード内にある各種データを前記不揮発性メモリ（ＮＶＭ）に書き込むことができるとともに、前記ベースマシンに蓄えられたデータを前記ＩＣカードに書き込むこともでき、
　記録装置が工場から出荷されたときの初期モードは前記第１のモードであり、電源スィッチが投入されると、前記液晶表示部に記録できる旨の表示が行われ、ここで記録装置を管理者モードに設定し、モード設定を行うための番号を入力すると、記録装置は前記不揮発性メモリ（ＮＶＭ）に書き込まれているデータを読み出し、その結果として現在設定されている第１のモードの表示を行い、前記キースイッチから第２のモードに対応する数値を入力すると、記録装置は第２のモードに設定され、前記液晶表示部に第２モードの表示を行い、この時点で新たなモードを示すデータは前記不揮発性メモリ（ＮＶＭ）に書き込まれており、この状態で記録装置の電源がオフとなっても、記録装置は新たなモードとしての第２のモードに設定された状態を保持するから、この第２のモードで、前記ＩＣカード装置に所定のＩＣカードを入れない状態で電源を投入して記録装置がレディ状態となると、「カードを入れて下さい」という表示が行われ、この状態でオペレータが前記ＩＣカード装置に所定のＩＣカードを入れると、記録装置はＩＣカードからその暗証番号を読み出し、前記不揮発性メモリ（ＮＶＭ）に格納されている暗証番号に一致するかどうかを判別し、暗証番号が一致しなければ前記ＩＣカード装置からＩＣカードが自動的に排出され、再び初期状態の表示が行われ、これに対して、暗証番号が一致していれば、前記液晶表示部に記録できる旨の表示が行われるようになして、
　ＩＣカードを使用することにより、各種付加装置のプログラムやその他必要なデータをカードに格納することができ、記録装置の自動化および多機能化に充分対処することができ、ＩＣカード等の携帯可能な記録媒体と、テンキー等のキースイッチといった２種類の入力手段を用いて記録可能な状態への選択を行なえるようにしたので、安全性や使用の便宜といった各種状況を把握しながら記録装置を適切なモードに設定することができ、また複数のモードから１つのモードを選択させることとしたので、記録装置の所属の変更等があってもその装置の性格を変えることができ、これにより記録装置の使用期間を延長することができるようにした記録装置。」の発明（以下「引用発明２」という。）が記載されているものと認められる。
　
４　引用発明１との対比・判断
（１）対比
　本願発明と引用発明１とを対比する。
　ア　引用発明１の「プリンタ装置」、「着脱自在な第２のランダムアクセスメモリである拡張ＮＶＲＡＭ又はハードディスク」、「カウンタ情報」、「記憶させる」、「各種印刷条件等が設定され、かつトータルの印刷枚数のカウント値を記憶させて管理している」及び「ＮＶＲＡＭ（第１の不揮発性のランダムアクセスメモリ）」は、それぞれ、本願発明の「印刷装置」、「着脱可能な記憶部」、「装置情報」、「格納する」、「情報を格納する」及び「『不揮発性記憶部材で構成され』た『情報格納部』」に相当する。
　
　イ　上記アからみて、本願発明と引用発明１とは、
「装置情報を格納する着脱可能な記憶部と、
　不揮発性記憶部材で構成され、情報を格納する情報格納部とを備えた印刷装置。」の点で一致し、次の点で相違する。
　
相違点１：
　前記「情報」が、本願発明においては、「前記記憶部に装置情報を格納する設定がなされたことを示す」ものであるのに対して、引用発明１においては、設定された「各種印刷条件等」及び「トータルの印刷枚数のカウント値」の情報であり、そのような情報ではない点。
　
相違点２：
　本願発明では「装置のエラー情報を装置外部に表示する表示部と、前記設定がなされた後に再電源投入されたときの初期化処理において、前回の電源投入による装置の動作時に格納された前記情報格納部の情報を取得し、前記記憶部に装置情報を格納することを示す情報が前記情報格納部に格納されていて、かつ前記記憶部が装置に装着されているか否かを検出し、前記記憶部が装置に未装着であると判断すると、前記表示部に対して前記エラー情報を表示することを通知し、また前記設定がなされた後に再電源投入されたときの初期化処理において、前回の電源投入による装置の動作時に格納された前記情報格納部の情報を取得し、前記記憶部に装置情報を格納することを示す情報が前記情報格納部に格納されていて、かつ前記記憶部が装置に装着されているか否かを検出し、前記記憶部が装着されている場合に、前記記憶部が前回の電源投入による装置の動作時に装着されていた記憶部であるか否かを判断し、前回装着されていた記憶部と異なる記憶部であると判断すると、前記表示部に対して前記エラー情報を表示することを通知する装着管理部とを」を備えているのに対して、引用発明１では、そのような表示部及び装着管理部を備えていない点。
　
（２）判断
　上記相違点１及び２について検討する。
　ア　引用例２には、上記３（２）で述べたとおりの引用発明２が記載されている（上記３（２）サ参照。）。
　
　イ　引用発明１は、１つのプリンタ装置を複数の人や部門、グループにて共有して使用する際のコインラックやカードリーダによる利用者制限を行うための設定、カラーレーザプリンタ装置のユーザによりモノクロの印刷は利用可能とするがカラー印刷の利用制限をして各印刷色毎の課金管理を行う場合などのための各色成分毎のカウンタ情報、どの用紙サイズでそれぞれ何枚印刷されているか、どのような紙種例えば普通紙や再生紙やＯＨＯ又は厚紙等で印刷が何枚されているかや、各エミュレーションが何枚印刷されているか等の管理、複写機能やスキャナ機能の場合にも用紙サイズ毎にどの部門が何枚使用しているかの管理、ファクシミリ機能の場合は、それに加えて、各個人や部門毎にどの相手先と送受信したかの管理に応えるためには、電源遮断時においてもプリンタシステムが記憶しておかなければならないこれらの設定の情報が非常に多くなるため、より大容量の不揮発性メモリが必要であるので、前記ＮＶＲＡＭ（第１の不揮発性のランダムアクセスメモリ）とは異なった情報を記憶させる着脱自在な第２のランダムアクセスメモリである拡張ＮＶＲＡＭ又はハードディスクを備え、第１の不揮発性のランダムアクセスメモリにはトータル印刷回数（枚数）を記憶させ、第２の不揮発性のランダムアクセスメモリには第１の不揮発性のランダムアクセスメモリよりも多くのカテゴリのカウンタ情報を記憶させるようにしたものであるところ、このプリンタ装置（記録装置）を１つの部署が専用で使用するような場合、上述のような、利用者制限を行うための設定、複数の人や部門、グループ毎の、各色成分毎のカウンタ情報、各用紙毎の何枚印刷されているか等の管理に応えるために必要な情報が非常に多くなることはないため、より大容量の不揮発性メモリは必要ではないから、上記第２のランダムアクセスメモリである拡張ＮＶＲＡＭ又はハードディスクが無駄となることは、当業者に自明なことである。
　
　ウ　上記ア及びイからして、引用発明１において、プリンタ装置（記録装置）を１つの部署が専用で使用するような場合、第２のランダムアクセスメモリが無駄とならないように、液晶表示部と、キースイッチと、無条件で記録可能な状態とする第１のモードと、所定の第２のランダムアクセスメモリをセットしなければ記録作業を行うことができず、規定の第２のランダムアクセスメモリがセットされたとき記録可能な状態にする第２のモードからいずれか１つのモードを選択するモード選択手段とを設け、プリンタ装置が工場から出荷されたときの初期モードは前記第１のモードであり、電源スイッチが投入されると、前記液晶表示部に記録できる旨の表示が行われ、ここでプリンタ装置を管理者モードに設定し、モード設定を行うための番号を入力すると、プリンタ装置は前記第１の不揮発性のランダムアクセスメモリに書き込まれているデータを読み出し、その結果として現在設定されている第１のモードの表示を行い、前記キースイッチから第２のモードに対応する数値を入力すると、プリンタ装置は第２のモードに設定され、前記液晶表示部に第２モードの表示を行い、この時点で新たなモードを示すデータは前記第１の不揮発性のランダムアクセスメモリに書き込まれており、この状態でプリンタ装置の電源がオフとなっても、プリンタ装置は新たなモードとしての第２のモードに設定された状態を保持するから、この第２のモードで、所定の第２のランダムアクセスメモリを装着しない状態で電源を投入してプリンタ装置がレディ状態となると、「第２のランダムアクセスメモリを装着して下さい」といった表示が行われ、この状態でオペレータが所定の第２のランダムアクセスメモリを装着すると、プリンタ装置は第２のランダムアクセスメモリからその暗証番号を読み出し、前記第１の不揮発性のランダムアクセスメモリに格納されている暗証番号に一致するかどうかを判別し、暗証番号が一致しなければ前記第２のランダムアクセスメモリが排出指示により手動で又は自動的に排出され、再び初期状態の表示が行われ、これに対して、暗証番号が一致していれば、前記液晶表示部に記録できる旨の表示が行われるようになして、プリンタ装置の所属の変更等があってもその装置の性格を変えることができ、これによりプリンタ装置の使用期間を延長することができるようにすることは、当業者が引用発明２に基づいて容易に想到することができた程度のことである。
　
　エ　上記ウにおいて、プリンタ装置が第２のモードに設定され、液晶表示部に第２モードの表示を行いった時点で第１の不揮発性のランダムアクセスメモリに書き込まれている「新たなモードを示すデータ」は、「所定の第２のランダムアクセスメモリをセットしなければ記録作業を行うことができず、規定の第２のランダムアクセスメモリがセットされたとき記録可能な状態にする第２のモード」に設定されていることを示すデータであり、「着脱自在な第２のランダムアクセスメモリ」は、第１の不揮発性のランダムアクセスメモリよりも多くのカテゴリのカウンタ情報を記憶するものであるから、上記「新たなモードを示すデータ」は、本願発明の「前記記憶部に装置情報を格納する設定がなされたことを示す情報」に相当する。
　
　オ　上記ウにおいて、「第２のランダムアクセスメモリを装着して下さい」といった表示は、本願発明の「装置のエラー情報を装置外部に表示する」ことに相当し、それを表示する「液晶表示部」は、本願発明の「装置のエラー情報を装置外部に表示する表示部」に相当する。
　
　カ　上記ウにおいて、プリンタ装置は第２のモードに設定され、前記液晶表示部に第２モードの表示を行い、この時点で新たなモードを示すデータは前記第１の不揮発性のランダムアクセスメモリに書き込まれており、この状態でプリンタ装置の電源がオフとなっても、プリンタ装置は新たなモードとしての第２のモードに設定された状態を保持するから、この第２のモードで、所定の第２のランダムアクセスメモリを装着しない状態で電源を投入してプリンタ装置がレディ状態となると、「第２のランダムアクセスメモリを装着して下さい」といった表示が行われるまでのプリンタ装置の処理は、本願発明の「前記設定がなされた後に再電源投入されたときの初期化処理において、前回の電源投入による装置の動作時に格納された前記情報格納部の情報を取得し、前記記憶部に装置情報を格納することを示す情報が前記情報格納部に格納されていて、かつ前記記憶部が装置に装着されているか否かを検出し、前記記憶部が装置に未装着であると判断すると、前記表示部に対して前記エラー情報を表示する」に相当するといえる。
　
　キ　本願明細書の発明の詳細な説明には、本願発明の「前記設定がなされた後に再電源投入されたときの初期化処理において、前回の電源投入による装置の動作時に格納された前記情報格納部の情報を取得し、前記記憶部に装置情報を格納することを示す情報が前記情報格納部に格納されていて、かつ前記記憶部が装置に装着されているか否かを検出し、前記記憶部が装着されている場合に、前記記憶部が前回の電源投入による装置の動作時に装着されていた記憶部であるか否かを判断し、前回装着されていた記憶部と異なる記憶部であると判断する」事項に関して、次の（ア）ないし（エ）の記載がある。
（ア）「【００３６】
  本実施例２の印刷装置３１において、上記実施例１と異なる点は、図６に示すように、着脱可能な不揮発性メモリ５にプリンタ管理ファイル３２が設けられている点である。このプリンタ管理ファイル３２は図７に示す構成となっており、デバイス識別情報となる、印刷装置と同一のシリアルナンバーが格納される。このように、プリンタ管理ファイル３２にそれぞれの印刷装置毎に異なるシリアルナンバーを格納することで、着脱可能な不揮発性メモリ１５がどの印刷装置３１の印刷集計情報を格納するメモリであるのかを装置側で認識することができる。すなわち、
印刷装置３１のシリアルナンバーと現在、印刷装置３１に装着されている着脱可能な不揮発性メモリ５のシリアルナンバーとが一致がするか否かにより、その印刷装置３１に装着されるべき着脱可能な不揮発性メモリ５が装着されているか否かを装置側で認識する
（イ）「【００４２】
  ステップＳ１３で、ジョブ管理部３は、印刷装置のシリアルナンバーを着脱可能な不揮発性メモリ５内のプリンタ管理ファイル３２に格納する。」
（ウ）「【００４９】
  ステップＳ２２からステップＳ２３に進むと、デバイス管理部１０はプリンタ管理ファイル３２に格納されているシリアルナンバーと、印刷装置３１のシリアルナンバーとを比較し、ナンバーが一致しているか否かを判断する。ここで一致していると判断した場合には、ステップＳ２４に進む。一方「否」の場合にはステップＳ２６に進む。」
（エ）「【００５５】
  なお、プリンタ管理ファイル３２を設ける代わりに、
予め、
着脱可能な不揮発性メモリ５にシリアルナンバーを付与しておき、印刷装置３１側には、上記着脱可能な不揮発性メモリ５のシリアルナンバーを格納する識別情報記憶部であるデバイス管理ファイルを着脱不可能なメモリとして設け
【００５６】
  そして、
デバイス管理部１０は印刷集計機能初期化処理時に着脱可能な不揮発性メモリ５のデバイスシリアルナンバーと同一のナンバーを印刷装置側のデバイス管理ファイルに格納する
【００５７】
  そして、着脱可能な不揮発性メモリ５のデバイスシリアルナンバーと印刷装置側の識別情報であるシリアルナンバーとを比較し、ナンバーが一致しているかを判断し、判断結果に応じて、本実施例２と同様に処理を変えるようにしても良い。」
　
　ク　上記キによれば、本願発明の「前記設定がなされた後に再電源投入されたときの初期化処理において、前回の電源投入による装置の動作時に格納された前記情報格納部の情報を取得し、前記記憶部に装置情報を格納することを示す情報が前記情報格納部に格納されていて、かつ前記記憶部が装置に装着されているか否かを検出し、前記記憶部が装着されている場合に、前記記憶部が前回の電源投入による装置の動作時に装着されていた記憶部であるか否かを判断し、前回装着されていた記憶部と異なる記憶部であると判断する」事項は、「前記設定がなされた後に再電源投入されたときの初期化処理において、前記記憶部に識別情報を付与しておき、識別情報記憶部を印刷装置に設け、電源投入されたときの初期化処理時に、着脱可能な記憶部に付与された前記識別情報と同一の識別情報を印刷装置側の識別情報記憶部に格納し、印刷装置の識別情報と現在、印刷装置に装着されている着脱可能な記憶部の識別情報とが一致がするか否かにより、その印刷装置に装着されるべき着脱可能な記憶部が装着されているか否かを印刷装置側で認識する」ものを含んでいるものと解されるところ、本願明細書の発明の詳細な説明には、「その印刷装置に装着されるべき着脱可能な記憶部」が１つだけであるとの記載も必要性も認められないから、「着脱可能な記憶部に付与された前記識別情報と同一の識別情報を印刷装置側の識別情報記憶部に格納」する「電源投入されたときの初期化処理」は、「前回」に限らず、「前々回の電源投入されたときの初期化処理」でも構わないものと解さざるを得ず、本願発明の「前回の電源投入による装置の動作時に装着されていた記憶部であるか否か」の点は、「その印刷装置に装着されるべき記憶部であるか否か」といった意味以上を超える技術上の意味を有するものとは認められない。
　
　ケ　上記キからすると、上記ウにおいて、プリンタ装置は第２のモードに設定され、前記液晶表示部に第２モードの表示を行い、この時点で新たなモードを示すデータは前記第１の不揮発性のランダムアクセスメモリに書き込まれており、この状態でプリンタ装置の電源がオフとなっても、プリンタ装置は新たなモードとしての第２のモードに設定された状態を保持するから、この第２のモードで、所定の第２のランダムアクセスメモリを装着しない状態で電源を投入してプリンタ装置がレディ状態となると、「第２のランダムアクセスメモリを装着して下さい」といった表示が行われ、この状態でオペレータが所定の第２のランダムアクセスメモリを装着すると、プリンタ装置は第２のランダムアクセスメモリからその暗証番号を読み出し、前記第１の不揮発性のランダムアクセスメモリに格納されている暗証番号に一致するかどうかを判別し、暗証番号が一致しなければ前記第２のランダムアクセスメモリが排出指示により手動で又は自動的に排出され、再び初期状態の表示が行われるまでのプリンタ装置の処理は、本願発明の「前記設定がなされた後に再電源投入されたときの初期化処理において、前回の電源投入による装置の動作時に格納された前記情報格納部の情報を取得し、前記記憶部に装置情報を格納することを示す情報が前記情報格納部に格納されていて、かつ前記記憶部が装置に装着されているか否かを検出し、前記記憶部が装着されている場合に、前記記憶部が前回の電源投入による装置の動作時に装着されていた記憶部であるか否かを判断し、前回装着されていた記憶部と異なる記憶部であると判断すると、前記表示部に対して前記エラー情報を表示することを通知する」事項に実質上含まれるものと解される。
　
　コ　また、引用発明１において、上記ウのようにする際に、プリンタ装置に、そのような処理を行うため、本願発明の「装着管理部」に相当する構成を備えることは、当業者に自明の事項である。
　
　サ　上記ウないしコからみて、引用発明１において、上記相違点１及び２に係る本願発明の構成となすことは、当業者が引用発明２に基づいて容易になし得た程度のことである。
　
　シ　効果
　本願発明の奏する効果は、当業者が、引用発明１の奏する効果及び引用発明２の奏する効果から予測できた程度のものである。
　
　ス　まとめ
　以上のとおり、本願発明は、当業者が引用例１に記載された発明及び引用例２に記載された発明に基づいて容易に発明をすることができたものである。
　
５　引用発明２との対比・判断
（１）対比
　本願発明と引用発明２とを対比する。
　ア　引用発明２の「ベースマシンに蓄えられたデータ」、「『ＣＰＵ（中央処理装置）とメモリとインターフェイスを持ち、記憶容量が大きく記憶媒体として使用でき、かつセキュリティでも格段に優れていて、データの読み書きと反復使用が可能』なものであって、『ＩＣカード装置に』入れる『ＩＣカード』」、「『ベースマシンに蓄えられたデータを』書き込むこともできる『データの読み書き』が可能な『ＩＣカード』」、「不揮発性メモリ（ＮＶＭ）」、「『記録装置は第２のモードに設定され、前記液晶表示部に第２モードの表示を行』った時点で『前記不揮発性メモリ（ＮＶＭ）に書き込まれて』いる『この新たなモードを示すデータ』」、「第２のモード」、「液晶表示部」、「『カードを入れて下さい』という表示」、「オペレータが前記ＩＣカード装置に所定のＩＣカードを入れると」、「再び初期状態の表示が行われ」及び「複写機、プリンタ等の画情報の記録を行うための記録装置」は、それぞれ、本願発明の「装置情報」、「着脱可能な記憶部」、「装置情報を格納する着脱可能な記憶部」、「『不揮発性記憶部材で構成』された『情報格納部』」、「記憶部に装置情報を格納する設定がなされたことを示す情報」、「記憶部に装置情報を格納する設定」、「情報を装置外部に表示する表示部」、「装置のエラー情報」、「前記記憶部が装着されている場合」、「前記表示部に対して前記エラー情報を表示する」及び「印刷装置」に相当し、上記４（２）クのとおりであるから、引用発明２の「記録装置はＩＣカードからその暗証番号を読み出し、前記不揮発性メモリ（ＮＶＭ）に格納されている暗証番号に一致するかどうかを判別し」及び「暗証番号が一致しなければ」は、それぞれ、本願発明の「前記記憶部が前回の電源投入による装置の動作時に装着されていた記憶部であるか否かを判断し」及び「前回装着されていた記憶部と異なる記憶部であると判断すると」に実質的に相当するといえる。
　
　イ　引用発明２では、ＩＣカード装置は、ＩＣカードからインサート信号およびカード有り信号の供給を受けるようになっており、前記ＩＣカード装置に所定のＩＣカードを入れない状態で電源を投入して記録装置がレディ状態となると、「カードを入れて下さい」という表示が行われ、この状態でオペレータが前記ＩＣカード装置に所定のＩＣカードを入れると、記録装置はＩＣカードからその暗証番号を読み出すようになっているから、引用発明２は、ＩＣカード（記憶部）が記録装置のＩＣカード装置（装置）に入れて（装着されて）いるか否かを検出し、前記ＩＣカードがＩＣカード装置にいれてない（未装着である）と判断すると、前記液晶表示部（表示部）に対して『カードを入れて下さい』という表示（エラー情報を表示）することを通知する何らかの手段を有しているといえる。したがって、引用発明２のこの手段は本願発明の「前記記憶部が装置に装着されているか否かを検出し、前記記憶部が装置に未装着であると判断すると、前記表示部に対して前記エラー情報を表示することを通知し、前記記憶部が装置に装着されているか否かを検出し、前記記憶部が装着されている場合に、前記記憶部が前回の電源投入による装置の動作時に装着されていた記憶部であるか否かを判断し、前回装着されていた記憶部と異なる記憶部であると判断すると、前記表示部に対して前記エラー情報を表示することを通知する装着管理部」に相当する。そうすると、引用発明２の「記録装置は前記不揮発性メモリ（ＮＶＭ）に書き込まれているデータを読み出し、その結果として現在設定されている第１のモードの表示を行い、前記キースイッチから第２のモードに対応する数値を入力すると、記録装置は第２のモードに設定され、前記液晶表示部に第２モードの表示を行い、この時点で新たなモードを示すデータは前記不揮発性メモリ（ＮＶＭ）に書き込まれており、この状態で記録装置の電源がオフとなっても、記録装置は新たなモードとしての第２のモードに設定された状態を保持するから、この第２のモードで、前記ＩＣカード装置に所定のＩＣカードを入れない状態で電源を投入して記録装置がレディ状態となると、「カードを入れて下さい」という表示が行われ、この状態でオペレータが前記ＩＣカード装置に所定のＩＣカードを入れると、記録装置はＩＣカードからその暗証番号を読み出し、前記不揮発性メモリ（ＮＶＭ）に格納されている暗証番号に一致するかどうかを判別し、暗証番号が一致しなければ前記ＩＣカード装置からＩＣカードが自動的に排出され、再び初期状態の表示が行われ、これに対して、暗証番号が一致していれば、前記液晶表示部に記録できる旨の表示が行われる」事項は、本願発明の「前記設定がなされた後に再電源投入されたときの初期化処理において、前回の電源投入による装置の動作時に格納された前記情報格納部の情報を取得し、前記記憶部に装置情報を格納することを示す情報が前記情報格納部に格納されていて、かつ前記記憶部が装置に装着されているか否かを検出し、前記記憶部が装置に未装着であると判断すると、前記表示部に対して前記エラー情報を表示することを通知し、また前記設定がなされた後に再電源投入されたときの初期化処理において、前回の電源投入による装置の動作時に格納された前記情報格納部の情報を取得し、前記記憶部に装置情報を格納することを示す情報が前記情報格納部に格納されていて、かつ前記記憶部が装置に装着されているか否かを検出し、前記記憶部が装着されている場合に、前記記憶部が前回の電源投入による装置の動作時に装着されていた記憶部であるか否かを判断し、前回装着されていた記憶部と異なる記憶部であると判断すると、前記表示部に対して前記エラー情報を表示することを通知する装着管理部とを備えたこと」に相当するといえる。
　
　ウ　上記ア及びイからみて、本願発明と引用発明２とは、
「装置情報を格納する着脱可能な記憶部と、
　不揮発性記憶部材で構成され、前記記憶部に装置情報を格納する設定がなされたことを示す情報を格納する情報格納部と、
　装置のエラー情報を装置外部に表示する表示部と、
　前記設定がなされた後に再電源投入されたときの初期化処理において、前回の電源投入による装置の動作時に格納された前記情報格納部の情報を取得し、前記記憶部に装置情報を格納することを示す情報が前記情報格納部に格納されていて、かつ前記記憶部が装置に装着されているか否かを検出し、前記記憶部が装置に未装着であると判断すると、前記表示部に対して前記エラー情報を表示することを通知し、
　また前記設定がなされた後に再電源投入されたときの初期化処理において、前回の電源投入による装置の動作時に格納された前記情報格納部の情報を取得し、前記記憶部に装置情報を格納することを示す情報が前記情報格納部に格納されていて、かつ前記記憶部が装置に装着されているか否かを検出し、前記記憶部が装着されている場合に、前記記憶部が前回の電源投入による装置の動作時に装着されていた記憶部であるか否かを判断し、前回装着されていた記憶部と異なる記憶部であると判断すると、前記表示部に対して前記エラー情報を表示することを通知する装着管理部とを備えたことを特徴とする印刷装置。」の点で一致し、相違するところはない。
　
　エ　したがって、本願発明は、引用例２に記載された発明である。
　
６　むすび
　本願発明は、上記４のとおり、当業者が引用例１に記載された発明及び引用例２に記載された発明に基づいて容易に発明をすることができたものであるから、特許法第２９条第２項の規定により特許を受けることができない。
　また、本願発明は、上記５のとおり、引用例２に記載された発明であるから、特許法第２９条第１項第３号に該当し、特許を受けることができない。
　よって、結論のとおり審決する。